【手続補正書】
【提出日】平成20年3月11日(2008.3.11)
【手続補正１】
【補正対象書類名】明細書
【補正対象項目名】発明の名称
【補正方法】変更
【補正の内容】
【発明の名称】コネクター及び画像形成装置
【手続補正２】
【補正対象書類名】明細書
【補正対象項目名】特許請求の範囲
【補正方法】変更
【補正の内容】
【特許請求の範囲】
【請求項１】
カートリッジが画像形成装置本体に取り外し可能に装着され際に、前記カートリッジに設けられた情報が記憶された記憶媒体と接続する、前記画像形成装置本体に設けられるコネクターであって、
前記画像形成装置本体からの信号を前記記憶媒体に伝達しまたは前記記憶媒体からの信号を画像形成装置本体に伝達する、弾性変形が可能な前記記憶媒体に設けられた電気接点と接触する複数のコンタクト部と、
前記カートリッジに当接し前記コンタクト部の変形量を規制する複数の突起部と、
を有し、
前記複数の突起部の間に前記複数のコンタクト部を設けたことを特徴とするコネクター。
【請求項２】
前記複数の突起部は、前記記憶媒体に当接することを特徴とする請求項１に記載のコネクター。
【請求項３】
前記突起部が前記記憶媒体に当接した状態において、前記突起部の位置と記憶媒体に接触している前記コンタクト部の先端部の位置とが一直線に並ぶように前記コンタクト部が弾性変形することを特徴とする請求項１または２に記載のコネクター。
【請求項４】
記録媒体に画像を形成するカートリッジが着脱可能な画像形成装置において、
前記カートリッジが画像形成装置本体に取り外し可能に装着され際に、前記カートリッジに設けられた情報が記憶された記憶媒体と接続する、前記画像形成装置本体に設けられるコネクターであって、前記画像形成装置の装置本体からの信号を前記記憶媒体に伝達しまたは前記記憶媒体からの信号を前記装置本体に伝達する、弾性変形が可能な前記記憶媒体に設けられた電気接点と接触する複数のコンタクト部と、前記カートリッジに当接し前
記コンタクト部の変形量を規制する複数の突起部と、を有し、前記複数の突起部の間に前記複数のコンタクト部を設けたコネクターと、
前記コネクターを前記装置本体に対して移動可能に支持するコネクターホルダーであって、前記カートリッジが前記装置本体に装着され際に、前記記憶媒体に対して前記コネクターの長手方向の位置決めを行うための、前記カートリッジと係合するガイドを有するコネクターホルダーと、
を有することを特徴とする画像形成装置。
【請求項５】
更に、前記画像形成装置は、
前記カートリッジである現像カートリッジを着脱可能に装着する、前記装置本体に回転可能なロータリと、
を有し、
前記コネクターホルダーは、前記現像カートリッジが前記ロータリに対して着脱可能な停止位置から前記ロータリの回転方向において９０°下流側に位置する前記現像カートリッジが有する前記記憶媒体に対して前記コネクターが接続可能に設けられていることを特徴とする請求項４に記載の画像形成装置。
【手続補正３】
【補正対象書類名】明細書
【補正対象項目名】００１４
【補正方法】変更
【補正の内容】
【００１４】
本発明は上記の従来技術の課題を解決するためになされたもので、その目的とするところは、簡易な構成で信頼性の高いコネクター及びそれを備えた画像形成装置を提供することにある。
【手続補正４】
【補正対象書類名】明細書
【補正対象項目名】００１５
【補正方法】変更
【補正の内容】
【００１５】
【課題を解決するための手段】
上記目的を達成するために本発明に係るコネクターにあっては、
カートリッジが画像形成装置本体に取り外し可能に装着され際に、前記カートリッジに設けられた情報が記憶された記憶媒体と接続する、前記画像形成装置本体に設けられるコネクターであって、
前記画像形成装置本体からの信号を前記記憶媒体に伝達しまたは前記記憶媒体からの信号を画像形成装置本体に伝達する、弾性変形が可能な前記記憶媒体に設けられた電気接点と接触する複数のコンタクト部と、
前記カートリッジに当接し前記コンタクト部の変形量を規制する複数の突起部と、
を有し、
前記複数の突起部の間に前記複数のコンタクト部を設けたことを特徴とする。
【手続補正５】
【補正対象書類名】明細書
【補正対象項目名】００１６
【補正方法】変更
【補正の内容】
【００１６】
この構成によれば、突起部によりコンタクト部の変形量を一定の値に規制することができ、記憶媒体に対するコンタクト部の接触圧が所望の値で安定し、長期間にわたり信頼性
の高い信号の伝達が可能となる。また、この構成によれば、複数の突起部間の距離が離れるため、複数の突起部の突起量の公差によるコンタクト部の接触圧の変動を少なくすることができる。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】変更
【補正の内容】
【００１９】
前記突起部が前記記憶媒体に当接した状態において、前記突起部の位置と記憶媒体に接触している前記コンタクト部の先端部の位置とが一直線に並ぶように前記コンタクト部が弾性変形することが好適である。
【手続補正９】
【補正対象書類名】明細書
【補正対象項目名】００２０
【補正方法】変更
【補正の内容】
【００２０】
この構成によれば、一直線上にコンタクト部と突起部が並ぶため、例えば、当接時の突起部の傾きによるコンタクト部の接触圧の変動を少なくすることができる。
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】変更
【補正の内容】
【００３２】
また、本発明に係る画像形成装置にあっては、
記録媒体に画像を形成するカートリッジが着脱可能な画像形成装置において、
前記カートリッジが画像形成装置本体に取り外し可能に装着され際に、前記カートリッジに設けられた情報が記憶された記憶媒体と接続する、前記画像形成装置本体に設けられるコネクターであって、前記画像形成装置の装置本体からの信号を前記記憶媒体に伝達しまたは前記記憶媒体からの信号を前記装置本体に伝達する、弾性変形が可能な前記記憶媒体に設けられた電気接点と接触する複数のコンタクト部と、前記カートリッジに当接し前記コンタクト部の変形量を規制する複数の突起部と、を有し、前記複数の突起部の間に前記複数のコンタクト部を設けたコネクターと、
前記コネクターを前記装置本体に対して移動可能に支持するコネクターホルダーであって、前記カートリッジが前記装置本体に装着され際に、前記記憶媒体に対して前記コネクターの長手方向の位置決めを行うための、前記カートリッジと係合するガイドを有するコネクターホルダーと、
を有することを特徴とする。
【手続補正２２】
【補正対象書類名】明細書
【補正対象項目名】００３３
【補正方法】削除
【補正の内容】
【手続補正２３】
【補正対象書類名】明細書
【補正対象項目名】０２１４
【補正方法】変更
【補正の内容】
【０２１４】
【発明の効果】
以上説明したように、本発明によれば、コネクターに、記憶媒体からの信号を画像形成装置本体に伝達する弾性変形可能な複数のコンタクト部と、記憶媒体に当接しコンタクト部の変形量を規制する複数の突起部と、を備え、複数の突起部の間に複数のコンタクト部を設けた構成とすることで、簡易な構成で信頼性の高いコネクター及びそれを備えた画像形成装置を提供することができる。